(57)【要約】【課題】携帯機器の充電電池が満充電になった後、ＡＣアダプタの抜き差しを行わずに再充電を可能にする。【解決手段】充電制御装置１００は、充電回路２により、ＡＣアダプタ１から供給された電源により二次電池３を充電し、制御回路５により、二次電池３から電力供給を受けるシステム４が負荷動作を行ったことを検出する。制御回路５は、充電回路２による充電動作を開始させ、二次電池３が満充電になった場合に充電回路２に充電動作を終了させるとともに、満充電による充電動作の終了後にシステム４の負荷動作が検出された場合は充電回路２に再充電を開始させる。【選択図】図２
2005184989.tif 000002
【特許請求の範囲】
【請求項１】
ＡＣアダプタから供給された電源により充電電池を充電する充電手段と、
前記充電電池から電力供給を受けるシステムが負荷動作を行ったことを検出する検出手段と、
前記充電手段に充電動作を開始させ、前記充電電池が満充電になった場合に前記充電手段に充電動作を終了させるとともに、前記満充電による充電動作の終了後に前記検出手段により前記システムの負荷動作が検出された場合は前記充電手段に再充電を開始させる制御手段と、
を備えることを特徴とする充電制御装置。
【請求項２】
前記制御手段は、前記検出手段により前記システムの負荷動作が検出された場合、当該システムの負荷動作が終了した時に前記充電手段に再充電を開始させることを特徴とする請求項１記載の充電制御装置。
【請求項３】
前記制御手段は、前記検出手段により前記システムの負荷動作が検出された場合、当該システムの負荷動作中に前記充電手段に再充電を開始させることを特徴とする請求項１記載の充電制御装置。
【請求項４】
コンピュータに、
充電電池から電力供給を受けるシステムが負荷動作を行ったことを検出する検出機能と、
充電手段に充電動作を開始させ、前記充電電池が満充電になった場合に前記充電手段に充電動作を終了させるとともに、前記満充電による充電動作の終了後に前記検出機能により前記システムの負荷動作が検出された場合は前記充電手段に再充電を開始させる制御機能と、
を実現させるためのプログラム。
【発明の詳細な説明】
【技術分野】
【０００１】
本発明は、充電制御装置及びプログラムに関する。
【背景技術】
【０００２】
ハンディーターミナル、ＰＤＡ（Personal Digital Assistants）等の携帯機器への充電は、例えば、図１０に示すように、ＡＣアダプタから充電回路に電源を供給し、充電回路から二次電池（例えば、リチウムイオン電池）を充電することによって行われる（例えば、特許文献１参照。）。充電回路は、充電電流の設定、満充電の検出を行う。また、充電回路は、充電開始後、保護タイマーにより所定時間計時し、所定時間経過した後、充電を停止させる制御を行う。これは、二次電池に対して長時間電圧を印加することによって、電池容量の劣化を防止するためである。携帯機器の充電には、安価なＡＣアダプタが採用されているため、ＡＣアダプタから取り出せる電流量が少なく、ＡＣアダプタにより供給される電力は、携帯機器のシステムを動作させるほど十分ではない。従って、このような安価なＡＣアダプタは、二次電池への充電のみに使用されている。
【特許文献１】特開２００３−４８２４号公報
【発明の開示】
【発明が解決しようとする課題】
【０００３】
しかしながら、従来の携帯機器では、一旦満充電になった後に再度充電する場合、ＡＣアダプタの抜き差しを行って再充電を開始させる必要があるため、満充電後にＡＣアダプタの抜き差しを行わずにシステム内の高負荷デバイスを使用すると、ＡＣアダプタがコンセントに繋がれているにも拘らず充電が行われず、二次電池が著しく消耗してしまうこととなっていた。
【０００４】
本発明の課題は、携帯機器の充電電池が満充電になった後、ＡＣアダプタの抜き差しを行わずに再充電を可能にすることである。
【課題を解決するための手段】
【０００５】
請求項１に記載の発明は、ＡＣアダプタから供給された電源により充電電池を充電する充電手段と、前記充電電池から電力供給を受けるシステムが負荷動作を行ったことを検出する検出手段と、前記充電手段に充電動作を開始させ、前記充電電池が満充電になった場合に前記充電手段に充電動作を終了させるとともに、前記満充電による充電動作の終了後に前記検出手段により前記システムの負荷動作が検出された場合は前記充電手段に再充電を開始させる制御手段と、を備えることを特徴としている。
【０００６】
請求項４に記載の発明は、コンピュータに、充電電池から電力供給を受けるシステムが負荷動作を行ったことを検出する検出機能と、充電手段に充電動作を開始させ、前記充電電池が満充電になった場合に前記充電手段に充電動作を終了させるとともに、前記満充電による充電動作の終了後に前記検出機能により前記システムの負荷動作が検出された場合は前記充電手段に再充電を開始させる制御機能と、を実現させるためのプログラムである。
【発明の効果】
【０００７】
本発明によれば、充電電池の満充電による充電動作の終了後にシステムの負荷動作が検出された場合、自動的に充電電池への再充電を行うようにしたことにより、ＡＣアダプタの抜き差しを行わなくても、充電電池への再充電が可能になり、充電電池の消耗を軽減させることができる。
【発明を実施するための最良の形態】
【０００８】
以下、図を参照して、本発明の実施形態について詳細に説明する。
（実施形態１）
図１〜図３を参照して、本発明の実施形態１について詳細に説明する。まず、実施形態１における構成について説明する。
【０００９】
図１に、本発明の実施形態１に係る充電制御装置１００の概略構成を示す。充電制御装置１００は、ハンディーターミナル、ＰＤＡ等の携帯機器に搭載され、ＡＣアダプタ１、充電回路２、二次電池３、システム４、制御回路５により構成される。充電回路２は、ＡＣアダプタ１、二次電池３及び制御回路５に接続され、システム４は、二次電池３及び制御回路５に接続されている。
【００１０】
図２に、充電制御装置１００の詳細な回路構成を示す。ＡＣアダプタ１は、交流電圧を所定の直流電圧に変換し、充電回路２に出力する。本実施形態１と、以下の実施形態２及び実施形態３で使用されるＡＣアダプタ１は、例えば、出力電圧９Ｖ、最大出力電流５００ｍＡのものである。
【００１１】
充電回路２は、充電専用のＩＣ（Integrated Circuit）を有し、ＡＣアダプタ１から供給された電圧（ＶＩＮ）を二次電池３に供給する（ＶＯＵＴ）ための制御を行う。具体的に、充電回路２は、二次電池３の満充電を検出したり、充電開始後に保護タイマーにより所定時間計時し、所定時間経過後、二次電池３への充電を停止させたりする処理を行う。また、充電回路２は、ＰＲＯＧピンを介して制御回路５に接続され、ＰＲＯＧピンにＬｏｗレベルの信号が入力された場合、ＡＣアダプタ１から入力された電圧を二次電池３に供給する。ＰＲＯＧピンがオープンの場合は、二次電池３への充電が不可状態であると判断し、二次電池３への電圧の供給を停止する。
【００１２】
二次電池３は、リチウムイオン電池等の二次電池を備え、システム４を構成する各部に電源を供給する。
【００１３】
システム４は、ＦＥＴ（Field Effect Transistor）４１、ＦＥＴ４２、ＦＥＴ４３、ＦＥＴ４４、プリンタデバイス４５、ＩｒＤＡデバイス４６、Bluetoothデバイス４７、擬似負荷４８により構成される。ＦＥＴ４１、ＦＥＴ４２、ＦＥＴ４３、ＦＥＴ４４は、何れもｐチャネルＭＯＳ（Metal Oxide Semiconductor）型の電界効果トランジスタである。
【００１４】
ＦＥＴ４１及びＦＥＴ４４のゲート電極は、何れも制御回路５に接続され、ＦＥＴ４２及びＦＥＴ４３のゲート電極は、図示しないＣＰＵ（Central Processing Unit）に接続されている。ＦＥＴ４１、ＦＥＴ４２、ＦＥＴ４３、ＦＥＴ４４のソース電極は何れも二次電池３に接続されている。ＦＥＴ４１のドレイン電極はプリンタデバイス４５に接続され、ＦＥＴ４２のドレイン電極はＩｒＤＡデバイス４６に接続され、ＦＥＴ４３のドレイン電極はBluetoothデバイス４７に接続され、ＦＥＴ４４のドレイン電極は擬似負荷４８に接続されている。ＦＥＴ４２及びＦＥＴ４３は、ＣＰＵの制御によりＯＮ／ＯＦＦになり、例えば、携帯機器が外部機器と通信を行う場合は、ＯＮ状態となる。
【００１５】
なお、本実施形態１及び以下の実施形態２では、プリンタデバイス４５を、本発明の充電制御に関わる高負荷デバイスとして取り扱うものとする。
【００１６】
制御回路５は、抵抗５１、ＦＥＴ５２、ＮＯＲ回路５３により構成される。抵抗５１は、一端がＦＥＴ５２のドレイン電極に接続され、他端が充電回路２のＰＲＯＧピンに接続されている。ＦＥＴ５２は、ｎチャネルＭＯＳ型の電界効果トランジスタであり、ゲート電極はＮＯＲ回路５３の出力端子に接続され、ソース電極は接地され、ドレイン電極は抵抗５１に接続されている。ＮＯＲ回路５３は、２つの入力端子がそれぞれ、システム４のＦＥＴ４１のゲート電極、ＦＥＴ４４のゲート電極に接続され、出力端子がＦＥＴ５２のゲート電極に接続されている。
【００１７】
ＦＥＴ５２は、ＮＯＲ回路５３からＨｉレベルの信号がゲート電極に入力された場合にＯＮ状態となる。ＦＥＴ５２がＯＮ状態になると、ＦＥＴ５２のドレイン電極からソース電極に電流が流れ、抵抗５１の一端（ＰＲＯＧピン側）の電位がＬｏｗレベルになる。ＦＥＴ５２のゲート電極にＬｏｗレベルの信号が入力されている場合、ＦＥＴ５２のドレイン電極はオープンとなる。
【００１８】
プリンタデバイス４５が印字動作中である場合、ＮＯＲ回路５３の入力端子には、ＨｉレベルのＤＭＹＢＥＮ（擬似負荷電流信号）及びＨｉレベルのＰＲＨＥＮ（プリンタ印字信号）が入力され、出力端子からＬｏｗレベルの信号が出力される。プリンタデバイス４５の印字動作が終了すると、ＮＯＲ回路５３の２つの入力端子には何れもＬｏｗレベルの信号が入力され、出力端子からＨｉレベルの信号が出力される。
【００１９】
次に、図３のタイムチャートを参照して、充電制御装置１００における動作について説明する。
【００２０】
まず、ＡＣアダプタ１から供給された電圧が二次電池３に供給され、二次電池３への充電が開始される（状態α）。充電開始から時間Ｔ１後に満充電が検出されると（又は、保護タイマーの計時により所定時間Ｔ１が経過すると）、二次電池３への充電が停止される。充電停止中は、システム動作により二次電池３を消費しているため、状態βに示すように、二次電池３の電圧はわずかに消耗される。
【００２１】
充電停止中に、高負荷デバイス信号（ＤＭＹＢＥＮ及びＰＲＨＥＮ）がＨｉレベル（ＯＮ）になると、状態γに示すように、高負荷デバイスの動作により二次電池３の電圧値が急激に下降し始める。高負荷デバイスの動作が終了し、再度、高負荷デバイス信号（ＤＭＹＢＥＮ及びＰＲＨＥＮ）がＬｏｗレベルになると、二次電池３への充電が再開される（状態δ）。これにより、高負荷デバイスの動作により消耗した二次電池３の電圧を補充することができる。図３の状態ε（点線）は、再充電が行われない場合の二次電池３の電圧値を示す。
【００２２】
以上のように、本実施形態１の充電制御装置１００によれば、二次電池３への充電動作が終了した後、高負荷デバイスの動作が検出された場合、高負荷デバイスの動作が終了した後に自動的に二次電池３への再充電を行うようにしたことにより、ＡＣアダプタ１の抜き差しを行わなくても、二次電池３への再充電が可能になり、充電電池の消耗を軽減させることができる。
【００２３】
なお、本実施形態１では、プリンタデバイス４５を充電制御に関わる高負荷デバイスとして取り扱い、ＩｒＤＡデバイス４６、Bluetoothデバイス４７を充電制御とは無関係のデバイスとして取り扱ったが、ＩｒＤＡデバイス４６、Bluetoothデバイス４７を高負荷デバイスとしても、本実施形態１を適用することができる。このことは、以下の実施形態２においても同様である。
【００２４】
（実施形態２）
次に、図４及び図５を参照して、本発明の実施形態２について説明する。まず、実施形態２における構成について説明する。
【００２５】
実施形態２の充電制御装置の概略構成は、図１に示した実施形態１の充電制御装置１００と同一である。図４に、本発明の実施形態２に係る充電制御装置２００の詳細な回路構成を示す。以下、実施形態１の充電制御装置１００と同一の構成部分には同一の符号を用い、実施形態１の充電制御装置１００と機能が異なる構成部分のみを説明する。
【００２６】
制御回路５は、抵抗５１、ＦＥＴ５２、ＯＲ回路５４、フリップフロップ５５、フリップフロップ５６、ＮＡＮＤ回路５７により構成される。ＦＥＴ５２は、ｎチャネルＭＯＳ型の電界効果トランジスタであり、ゲート電極はＮＡＮＤ回路５７の出力端子に接続され、ソース電極は接地され、ドレイン電極は抵抗５１に接続されている。
【００２７】
ＯＲ回路５４は、２つの入力端子がそれぞれ、システム４のＦＥＴ４１のゲート電極、ＦＥＴ４４のゲート電極に接続され、出力端子がフリップフロップ５５の入力端子Ｄに接続されている。フリップフロップ５５は、入力端子ＤがＯＲ回路５４の出力端子に接続され、出力端子Ｑがフリップフロップ５６の入力端子及びＮＡＮＤ回路５７の入力端子に接続される。フリップフロップ５５のクロック信号入力端子にはクロック信号ＣＬＫが入力される。フリップフロップ５６は、入力端子Ｄがフリップフロップ５５の出力端子Ｑに接続され、出力端子ＱがＮＡＮＤ回路５７の入力端子に接続される。フリップフロップ５６のクロック信号入力端子には、クロック信号ＣＬＫの反転信号が入力される。ＮＡＮＤ回路５７は、２つの入力端子がそれぞれ、フリップフロップ５５の出力端子Ｑ、フリップフロップ５６の出力端子Ｑに接続され、出力端子Ｑ１がＦＥＴ５２のゲート電極に接続される。
【００２８】
ＦＥＴ５２は、ＮＡＮＤ回路５７からＨｉレベルの信号がゲート電極に入力された場合にＯＮ状態となる。ＦＥＴ５２がＯＮ状態になると、ＦＥＴ５２のドレイン電極からソース電極に電流が流れ、抵抗５１の一端（ＰＲＯＧピン側）の電位がＬｏｗレベルになる。ＦＥＴ５２のゲート電極にＬｏｗレベルの信号が入力されている場合、ドレイン電極はオープンとなる。
【００２９】
プリンタデバイス４５が印字動作を開始し、ＯＲ回路５４の入力端子にＨｉレベルのＤＭＹＢＥＮ及びＨｉレベルのＰＲＨＥＮが入力されると、フリップフロップ５５、５６、ＮＡＮＤ回路５７により１つのパルス信号（図５のＰ）が生成される。Ｈｉレベルのパルス信号ＰがＦＥＴ５２のゲート電極に入力されると、ＦＥＴ５２がＯＮ状態となる。
【００３０】
次に、図５のタイムチャートを参照して、充電制御装置２００における動作について説明する。
【００３１】
まず、ＡＣアダプタ１から供給された電圧が二次電池３に供給され、二次電池３への充電が開始される（状態α）。充電開始から時間Ｔ１後に満充電が検出されると（又は、保護タイマーの計時により所定時間Ｔ１が経過すると）、二次電池３への充電が停止される。充電停止中は、システム動作により二次電池３を消費しているため、二次電池３の電圧はわずかに消耗される（状態β）。
【００３２】
充電停止中に、高負荷デバイス信号（ＤＭＹＢＥＮ及びＰＲＨＥＮ）がＨｉレベル（ＯＮ）になると、フリップフロップ５５、５６、ＮＡＮＤ回路５７により１つのパルス信号Ｐが生成される（状態ζ）。Ｈｉレベルのパルス信号ＰがＦＥＴ５２のゲート電極に入力されると、ＦＥＴ５２がＯＮ状態となり、二次電池３への充電が再開される（状態γ１）。高負荷デバイスが動作中に再充電を行っているため、二次電池３の電圧値は、再充電を行わない場合（状態ε１）に比べて緩やかに減少する（状態γ１）。高負荷デバイスの動作が終了した後に、二次電池３への充電動作が継続している場合、二次電池３の電圧値は上昇し始める（状態γ２）。図５の状態ε２は、高負荷デバイスの動作終了後に再充電が行われない場合の二次電池３の電圧値を示す。
【００３３】
以上のように、本実施形態２の充電制御装置２００によれば、高負荷デバイスの動作中に自動的に二次電池３への再充電を行うようにしたことにより、ＡＣアダプタ１の抜き差しを行わなくても、システム４に対する電源供給を補助することができ、充電電池の消耗を軽減させることができる。また、高負荷デバイスの動作が終了した後の充電時間を短縮することができる。
【００３４】
（実施形態３）
次に、図６〜図９を参照して、本発明の実施形態３について説明する。まず、実施形態３における構成について説明する。以下では、実施形態１の充電制御装置１００と同一の構成部分には同一の符号を用い、実施形態１の充電制御装置１００と機能が異なる構成部分のみを説明する。
【００３５】
図６に、本発明の実施形態３に係る充電制御装置３００の概略構成を示す。充電制御装置３００は、図６に示すように、ＡＣアダプタ１、充電回路２、二次電池３、システム４により構成される。充電回路２は、ＡＣアダプタ１及び二次電池３に接続され、システム４は、二次電池３及び充電回路２に接続されている。
【００３６】
図７に、充電制御装置３００の詳細な回路構成を示す。
充電回路２は、充電専用のＩＣを有し、ＡＣアダプタ１から供給された電圧（ＶＩＮ）を二次電池３に供給する（ＶＯＵＴ）ための制御を行う。具体的に、充電回路２は、二次電池３の満充電を検出したり、充電開始後に保護タイマーにより所定時間計時し、所定時間経過後、二次電池３への充電を停止させたりする処理を行う。また、充電回路２は、ＰＲＯＧピンを介して抵抗５１及びＦＥＴ５２に接続され、ＰＲＯＧピンにＬｏｗレベルの信号が入力された場合、ＡＣアダプタ１から入力された電圧を二次電池３に供給する。ＰＲＯＧピンがオープンの場合は、二次電池３への充電が不可状態であると判断し、二次電池３への電圧の供給を停止する。
【００３７】
システム４は、ＦＥＴ４１、ＦＥＴ４２、ＦＥＴ４３、ＦＥＴ４４、プリンタデバイス４５、ＩｒＤＡデバイス４６、Bluetoothデバイス４７、擬似負荷４８、ＣＰＵ（Central Processing Unit）６により構成される。ＦＥＴ４１、ＦＥＴ４２、ＦＥＴ４３、ＦＥＴ４４は、何れもｐチャネルＭＯＳ型の電界効果トランジスタである。
【００３８】
ＦＥＴ４１、ＦＥＴ４２、ＦＥＴ４３、ＦＥＴ４４のゲート電極は、何れもＣＰＵ６に接続される。ＦＥＴ４１、ＦＥＴ４２、ＦＥＴ４３、ＦＥＴ４４のソース電極は何れも二次電池３に接続されている。ＦＥＴ４１のドレイン電極はプリンタデバイス４５に接続され、ＦＥＴ４２のドレイン電極はＩｒＤＡデバイス４６に接続され、ＦＥＴ４３のドレイン電極はBluetoothデバイス４７に接続され、ＦＥＴ４４のドレイン電極は擬似負荷４８に接続されている。
【００３９】
ＣＰＵ６は、ＦＥＴ４１、ＦＥＴ４２、ＦＥＴ４３、ＦＥＴ４４のゲート電極に接続されるとともに、ＦＥＴ５２のゲート電極に接続されている。ＣＰＵ６は、デバイスを動作させる場合、該当するデバイス及び擬似負荷にＨｉｇｈレベルの信号（ＯＮ信号）を出力するとともに、ＦＥＴ５２にＬｏｗレベルの信号を出力する。ＣＰＵ６は、ＦＥＴ５２にＬｏｗレベルの信号を出力後、規定時間Ｔが経過すると、ＦＥＴ５２にＨｉレベルの信号を出力する。
【００４０】
図７において、ＣＨＧＯＮは、ＦＥＴ５２に出力される信号を示し、ＨｉレベルのＣＨＧＯＮが充電スタート信号ＯＮに対応し、ＬｏｗレベルのＣＨＧＯＮが充電スタート信号ＯＦＦに対応する。また、図７において、ＰＲＨＥＮはプリンタデバイス４５に対応するデバイス信号（デバイスのＯＮ／ＯＦＦ信号）を示し、ＩＲＯＮはＩｒＤＡデバイス４６に対応するデバイス信号を示し、ＢＴＯＮはBluetoothデバイス４７に対応するデバイス信号を示し、ＤＭＹＢＥＮは擬似負荷４８に対応するデバイス信号を示す。
【００４１】
ＦＥＴ５２は、ＣＰＵ６からＨｉレベルの信号がゲート電極に入力された場合にＯＮ状態となる。ＦＥＴ５２がＯＮ状態になると、ＦＥＴ５２のドレイン電極からソース電極に電流が流れ、抵抗５１の一端（ＰＲＯＧピン側）の電位がＬｏｗレベルになる。ＦＥＴ５２のゲート電極にＬｏｗレベルの信号が入力されている場合、ドレイン電極はオープンとなる。
【００４２】
次に、図８のフローチャート及び図９のタイムチャートを参照して、充電制御装置３００における動作について説明する。以下では、プリンタデバイス４５を動作させた場合の充電制御について説明するが、他のデバイスを動作させる場合にも以下の処理は適用可能である。
【００４３】
ＣＰＵ６からＦＥＴ５２にＨｉレベルの信号（充電スタート信号ＯＮ）が出力されると、充電回路２のＰＲＯＧピンにＬｏｗレベルの信号が入力され、ＡＣアダプタ１から供給された電圧が二次電池３に供給され、二次電池３への充電が開始される（ステップＳ１）（図９の状態α）。二次電池３への充電が開始されると、満充電が検出されたか否か又は充電開始から所定時間Ｔ１が経過したか否かが判定される（ステップＳ２）。
【００４４】
ステップＳ２において、満充電が検出された場合又は保護タイマーの計時により所定時間Ｔ１が経過した場合（ステップＳ２；ＹＥＳ）、二次電池３への充電が停止される（ステップＳ３）。充電停止中は、システム動作により二次電池３を消費しているため、二次電池３の電圧はわずかに消耗される（図９の状態β）。
【００４５】
充電停止中に、図示しない操作部等によりプリンタ動作が指示されると、プリンタデバイス４５がＯＮ状態になるとともに、擬似負荷４８がＯＮ状態になり、プリンタデバイス４５の印字動作が開始される（ステップＳ４；ＹＥＳ）。プリンタデバイス４５の印字動作が開始されるとＣＰＵ６からＦＥＴ５２にＬｏｗレベルの信号が出力され、一旦充電スタート信号がＯＦＦになる（ステップＳ５）。
【００４６】
プリンタ印字動作が開始されると、図示しないタイマーにより規定時間Ｔの計時が開始され、規定時間Ｔが経過すると（ステップＳ６；ＹＥＳ）（図９の状態ζ）、ＦＥＴ５２にＨｉｇｈレベルの信号が出力され、充電スタート信号がＯＮになり（ステップＳ７）、二次電池３への充電が再開される（図９の状態γ１）。
【００４７】
充電が再開されると、満充電が検出されたか否か又は充電開始から所定時間Ｔ１が経過したか否かが判定される（ステップＳ８）。ステップＳ８において、満充電が検出された場合又は保護タイマーの計時により所定時間Ｔ１が経過した場合（ステップＳ８；ＹＥＳ）、二次電池３への充電が停止される（ステップＳ９）。
【００４８】
ステップＳ８において、満充電が検出される前又は所定時間Ｔ１内に（ステップＳ８；ＮＯ）、ＣＰＵ６からプリンタデバイス４５に接続されたＦＥＴ４１にＬｏｗレベルの信号が出力されるとともに、擬似負荷４８に接続されたＦＥＴ４４にＬｏｗレベルの信号が出力されると（ステップＳ１０；ＹＥＳ）、プリンタデバイス４５の印字動作が終了する。
【００４９】
充電制御装置３００では、プリンタデバイス４５が動作中に再充電を行っているため、二次電池３の電圧値は、再充電を行わない場合（図９の状態ε１）に比べて緩やかに減少する（図９の状態γ１）。プリンタデバイス４５の印字動作が終了すると、二次電池３の電圧値は上昇し始める（図９の状態γ２）。図９の状態ε２は、プリンタデバイス４５の動作終了後に再充電が行われていない場合の二次電池３の電圧値を示す。
【００５０】
なお、図８のフローチャート及び図９のタイムチャートでは、実施形態２と同様に、デバイスの動作中に二次電池３への充電を再開するようにしたが、実施形態１で示したように、デバイスの動作が終了してから二次電池３への充電を再開するようにしてもよい。
【００５１】
以上のように、本実施形態３の充電制御装置３００によれば、システム４が備えるＣＰＵ６により、二次電池３への充電制御を行うことにより、充電制御のための周辺回路を設ける必要がなく、製造コストを削減することができる。また、従来のように、二次電池３の満充電後、ＡＣアダプタ１の抜き差しを行わなくても二次電池３への再充電を行うことができ、二次電池３の消耗を軽減することができる。
【００５２】
なお、上記各実施形態における記述内容は、本発明の趣旨を逸脱しない範囲で適宜変更可能である。
【図面の簡単な説明】
【００５３】
【図１】本発明の実施形態１及び実施形態２に係る充電制御装置の概略構成を示すブロック図。
【図２】実施形態１の充電制御装置の詳細な回路構成を示す図。
【図３】実施形態１の充電制御装置における動作を示すタイムチャート。
【図４】実施形態２の充電制御装置の詳細な回路構成を示す図。
【図５】実施形態２の充電制御装置における動作を示すタイムチャート。
【図６】本発明の実施形態３に係る充電制御装置の概略構成を示すブロック図。
【図７】実施形態３の充電制御装置の詳細な回路構成を示す図。
【図８】実施形態３の充電制御装置において実行される処理を示すフローチャート。
【図９】実施形態３の充電制御装置における動作を示すタイムチャート。
【図１０】従来の充電制御装置の概略構成を示す図。
【符号の説明】
【００５４】
１    ＡＣアダプタ
２    充電回路
３    二次電池
４    システム
４１、４２、４３、４４    ＦＥＴ
５    制御回路
５１    抵抗
５２    ＦＥＴ
５３    ＮＯＲ回路
５４    ＯＲ回路
５５、５６    フリップフロップ
５７    ＮＡＮＤ回路
６    ＣＰＵ
１００、２００、３００    充電制御装置
【図１】
2005184989.tif 000003
【図２】
2005184989.tif 000004
【図３】
2005184989.tif 000005
【図４】
2005184989.tif 000006
【図５】
2005184989.tif 000007
【図６】
2005184989.tif 000008
【図７】
2005184989.tif 000009
【図８】
2005184989.tif 000010
【図９】
2005184989.tif 000011
【図１０】
2005184989.tif 000012